(57)【要約】【課題】スライダーに対し閉方向への引き込み力を与える弾性部材の取付位置に自由度を与え、スライダーの移動方向と同じ方向に弾性力を付与することができるソフトクローザ機構を備えたキャビネットを提供すること。【解決手段】外扉１ｂの閉動作終了近傍で係止ピン１０と係脱する戸棚本体に設けたクローザＳ１を、外扉１ｂの開閉方向に移動可能にクローザハウジング（Ｓ１ｂ）に支持されたスライダー１２と、このスライダー１２の閉方向への移動を減速させるダンパー１４と、スライダー１２に取付けられた係止ピン１０と係脱するクローザフック１６とから構成し、スライダー１２に対し閉方向への引き込み力を与える引張りコイルばねＳＰをスライダー１２とクローザハウジング（Ｓ１ｂ）間に張設して、スライダー１２の移動方向と同方向に弾性力を付与する。【選択図】  図４
2004332308.tif 000002
【特許請求の範囲】
【請求項１】
移動体の移動終了近傍より移動終了に向けて緩やかな動作を完了するようにしたソフトクローザ機構であって、前記ソフトクローザ機構は、移動体に設けた係止ピンと、移動体の移動終了近傍で該係止ピンと係脱する固定体に取付けたクローザとから成り、前記クローザは、移動体の移動により移動可能にクローザハウジング内に支持されたスライダーと、該スライダーの移動終了方向への移動を減速させるダンパーと、スライダーに取付けられた前記係止ピンと係脱するクローザフックとで構成され、前記スライダーに対し移動終了方向への引き込み力を与える弾性部材がスライダーとクローザハウジング間に張設されていることを特徴とするソフトクローザ機構。
【請求項２】
前記スライダーとクローザハウジングとで構成した移動体の移動方向と平行に延びる案内部によりスライダーが移動可能である請求項１に記載のソフトクローザ機構。
【請求項３】
前記案内部が複数形成されている請求項２に記載のソフトクローザ機構。
【請求項４】
前記弾性部材は前記スライダーの表面に形成した移動体の移動方向と平行に延びる溝内に収納されたばね部材である請求項１ないし３の何れかに記載のソフトクローザ機構を備えたキャビネット。
【請求項５】
前記案内部がスライダーの左右に形成され、スライダーの表裏面には、両案内部の中間位置から対象位置となるところに前記溝が各２対形成されている請求項４に記載のソフトクローザ機構。
【請求項６】
前記クローザハウジングは、スライダー、ダンパー、及びクローザフックを含むクローザ部品を収納する着脱自在の２つのケーシングの連結により構成されている請求項１ないし５の何れかに記載のソフトクローザ機構。
【請求項７】
前記移動体が扉であり、前記固定体が開口を有するキャビネット本体であり、移動体の移動終了方向は扉を閉じる方向であり、反移動終了方向は扉を開放する方向である請求項１ないし６の何れかに記載のソフトクローザ機構。
【発明の詳細な説明】
【０００１】
【発明の属する技術分野】
本発明は、移動体の移動終了近傍より移動終了に向けて緩やかな動作を完了するようにしたソフトクローザ機構に関する。
【０００２】
【従来の技術】
従来、抽斗や扉等の可動部にソフトクローザ機構を適用して緩やかな閉動作を行うようにするものとして、例えば特許文献１に記載の「家具の可動部分の閉動作および／または引き込みのための装置」が知られている。図７は前記特許文献に開示されているソフトクローザ機構の斜視図である。
【０００３】
図７において、０１はクローザであって、可動部材（図示せず）と同方向に移動できるクローザプレート０２に支持されたスライダー０３と、スライダー０３のラック０３ａと噛み合うピニオン０４を有する回転ダンパー（図示せず）と、スライダー０３に軸０５を介して揺動自在に取付けたクローザフック０６とで構成されている。そしてスライダー０３には、一端がクローザプレート０２に係止し、他端がクローザフック０６に係止した引っ張りバネ０７により、扉の閉方向に常に引き込み力が作用しているが、可動部材が作用しない状態では、クローザフック０６がオフセットされたガイドウェイ０８により移動が拘束されているために、スライダー０３が扉の閉方向へ移動してしまうことはない。
【０００４】
ソフトクローザ機構はクローザ０１と可動部材に取付けたピン（図示せず）とで構成され、クローザフック０６には可動部材のピンと係合可能な円弧状の孔０６ａが形成されている。可動部材が閉方向に移動してピンが円弧状の孔０６ａをとらえると、クローザフック０６が揺動してオフセットされたガイドウェイ０８から外れ、可動部材と一体になってスライダー０３が閉方向に移動する。この時スライダー０３はラック０３ａと噛み合うピニオン０４を回動するため、回転ダンパーからの緩衝作用で減速される。
【０００５】
【特許文献１】
特開２００１−２４５７３８号公報（第３、４頁、図１１−１４）
【０００６】
【発明が解決しようとする課題】
しかしながら、上記特許文献１に記載のソフトクローザ機構は、引っ張りバネ０７がクローザフック０６に係止しているために、その取付位置が制約され、かつスライダー０３の移動方向と同じ方向にバネ力を付与することが困難であり、スライダー０３を移動する際の円滑性に問題があった。
【０００７】
本発明は、このような状況に鑑みてなされたものであり、スライダーに対し閉方向への引き込み力を与える弾性部材の取付位置に自由度を与え、スライダーの移動方向と同じ方向に弾性力を付与することができるソフトクローザ機構を提供することを目的とするものである。
【０００８】
【課題を解決するための手段】
上記課題を解決するために、本発明のソフトクローザ機構は、移動体の移動終了近傍より移動終了に向けて緩やかな動作を完了するようにしたソフトクローザ機構であって、前記ソフトクローザ機構は、移動体に設けた係止ピンと、移動体の移動終了近傍で該係止ピンと係脱する固定体に取付けたクローザとから成り、前記クローザは、移動体の移動により移動可能にクローザハウジング内に支持されたスライダーと、該スライダーの移動終了方向への移動を減速させるダンパーと、スライダーに取付けられた前記係止ピンと係脱するクローザフックとで構成され、前記スライダーに対し移動終了方向への引き込み力を与える弾性部材がスライダーとクローザハウジング間に張設されていることを特徴としている。
この特徴によれば、弾性部材をスライダーに直接張設できるので、弾性部材の取付位置の自由度が広がり、そのためにスライダーの移動方向と同じ方向に弾性力を付与することもできる。
【０００９】
本発明のソフトクローザ機構において、前記スライダーとクローザハウジングとで構成した移動体の移動方向と平行に延びる案内部によりスライダーが移動可能であることが好ましい。
このようにすれば、案内部により安定してスライダーを移動させることができる。
【００１０】
本発明のソフトクローザ機構において、前記案内部が複数形成されていることが好ましい。
このようにすれば、複数の案内部により更に安定してスライダーを移動させることができる。
【００１１】
本発明のソフトクローザ機構において、前記弾性部材は前記スライダーの表面に形成した移動体の移動方向と平行に延びる溝内に収納されたばね部材であることが好ましい。
このようにすれば、溝内にばね部材を収納することにより、クローザをコンパクトに構成でき、しかも溝が移動体の移動方向と平行に延びているので、スライダーを円滑に移動させることができる。
【００１２】
本発明のソフトクローザ機構において、前記案内部がスライダーの左右側に形成され、スライダーの表裏面には、両案内部の中間位置から対象位置となるところに前記溝が各２対形成されていることが好ましい。
このようにすれば、４つの溝にばね部材を自由に選択して収納させることができるので、移動体の重量に基づいてばね部材の数を増減させることができ、またばね部材をスライダーの表裏面に配することで、スライダーの浮き上がり等も防止でき、またスライダーの表面或いは裏面に２本配設することで、スライダーの左右方向のねじれが生起せずスライダーが円滑に移動することができる。
【００１３】
本発明のソフトクローザ機構において、前記クローザハウジングはスライダー、ダンパー、及びクローザフックを含むクローザ部品を収納する着脱自在の２つのケーシングの連結により構成されていることが好ましい。
このようにすれば、クローザ部品を保護すると同時に、クローザ部品の交換や点検の際の分解も容易である。
【００１４】
本発明のソフトクローザ機構において、前記移動体が扉であり、前記固定体が開口を有するキャビネット本体であり、移動体の移動終了方向は扉を閉じる方向であり、反移動終了方向は扉を開放する方向であることが好ましい。
このようにすれば、スライダーに対し移動終了方向への引き込み力を与える弾性部材により扉を円滑に作動させることができる。
【００１５】
【発明の実施形態】
図１は本発明の一実施形態に係るソフトクローザ機構を備えたキャビネットの正面図、図２はキャビネット内部の中間棚と吊扉端部に対応して配置されたクローザ機構を示す斜視図、図３の（ａ）は（ｂ）のＢ−Ｂ断面を示しクローザの内部構造を示す平面図、（ｂ）は（ａ）のＡ−Ａ断面図、図４はソフトクローザ機構の全体斜視図、図５はクローザの内部構造であって引張りコイルばねの取付け状態を示す説明図であり、図６は図５に示すクローザの内部構造を拡大したＣ−Ｃ断面図である。
【００１６】
本発明は抽斗や扉等のあらゆる移動体の移動終了近傍より移動終了に向けて緩やかな動作を完了するようにしたソフトクローザ機構に関するものであるが、このソフトクローザ機構を吊扉に適用した例に付き説明する。図１に示す１は吊扉であって、この吊扉１は、キャビネット等の戸棚本体２の開口上端部の前後に隣接して取付けられた１対の吊下げレール４の前方側に吊り下げられて戸棚本体２の幅方向に移動され、閉鎖時には戸棚本体２の両側に配置される２枚の外扉１ｂ，１ｃと、後方の吊下げレール４に吊り下げられて戸棚本体２の幅方向に外扉１ｂ，１ｃの内側で引き違い可能に移動され、閉鎖時には両外扉１ｂ，１ｃの中間に配置される１枚の幅広の内扉１ａとから構成されている。
【００１７】
図２に示すように、戸棚本体２内部の高さ方向略中間部には棚板２ａが設けられていて、この棚板２ａ前端の下面には幅方向全長に亘って案内支持部材となる下方が開放した案内溝５ａを有する断面コ字型のレール５が固設されており、両外扉１ｂ，１ｃの表側には棚板２ａに対応する略同じ高さレベルに取っ手Ｈ１，Ｈ２が取付けられており、両外扉１ｂ，１ｃ裏面の左右端部には、上下方向中間部に内部を向く鋼鈑で形成された取付金具となるブラケット６が取着されている。
【００１８】
このブラケット６は、棚板２ａ左右端部の下面に取付けられた後述するクローザＳ１，Ｓ２に対応する高さ位置にあって、垂直片６ｄ端部に折曲形成された取付け片６ａと、垂直片６ｄの上端に開閉方向後方に向けて折曲形成された２つの水平支持片６ｂ，６ｃと、手前側の水平支持片６ｂの上面に垂直に立設し案内支持部材となるレール５の案内溝５ａに係合する円柱状のガイドピン８と、このガイドピン８に近接配置され奥側の水平支持片６ｃの上面に垂直に立設し後述するクローザフック１６に係合する係止ピン１０と、垂直片６ｄの当接側前面に突設するように装着された２つのゴム製の緩衝部材Ｄとで構成されている。
【００１９】
このように、ソフトクローザ機構の取付高さ位置を、吊扉１の高さ方向中央部近傍となる取っ手Ｈ１，Ｈ２の取付位置とほぼ同じレベルに配置することで、両外扉１ｂ，１ｃが歪むことなく安定して開閉できる。
【００２０】
次に、本発明のソフトクローザ機構に付き図３〜図６を参照して説明する。
【００２１】
ソフトクローザ機構は、吊扉１の閉動作終了近傍より扉の閉動作終了に向けて緩やかな閉動作を完了するようにするためのものであって、吊扉１の両外扉１ｂ，１ｃ裏面における左右端部に取着されたブラケット６（図４参照）の水平支持片６ｃ上に設けられた係止ピン１０と、両外扉１ｂ，１ｃの閉動作終了近傍で上記係止ピン１０と係脱すべく棚板２ａ左右端部の下面に取付けられた左右勝手違いのクローザＳ１，Ｓ２とから成り、係止ピン１０は金属製のピン軸１０ａとこのピン軸１０ａに回動可能に挿嵌した合成樹脂等の軟質材の緩衝チューブ１０ｂとで構成されている。
【００２２】
これらのクローザＳ１，Ｓ２は、上下に分割可能な後述する薄型矩形状に形成された左右勝手違いのケース本体内部に収容されており、このケース本体は、図３（ｂ）に示すように、樹脂材で一体成形されるクローザハウジングとなるベースケーシングＳ２ａと、このベースケーシングＳ２ａの接合部に重ね合せて接合されるカバーケーシングＳ２ｂとから構成され、ベースケーシングＳ２ａは、棚板２ａ前端の左右端部裏面に直接取付けられている。
【００２３】
図３の（ａ），（ｂ）には右勝手のクローザＳ２が示されており、このクローザＳ２は、吊扉１の開閉方向にケース本体により移動可能に支持されたスライダー１２と、このスライダー１２の外扉１ｃ閉方向への移動を減速させるロータリーダンパー１４と、スライダー１２の一部前方に取付けられたクローザフック１６とから構成されている。
【００２４】
ベースケーシングＳ２ａとカバーケーシングＳ２ｂの対向する底面には、スライダー１２を案内すべく所定間隔離間した２本の案内部となる扉の移動方向と平行なガイドレール１８ａ’，１８ｂ’および１８ａ，１８ｂが長手方向全長に亘って突設され、両ケーシングＳ２ａ，Ｓ２ｂ前端縁の対設する接合部間には、両者を接合した際の接合部にクローザフック１６を挿通するための隙間を形成するための所定長さの切欠き溝２０が長手方向に沿ってそれぞれ形成されている。
【００２５】
更に、ベースケーシングＳ２ａとカバーケーシングＳ２ｂ前方の対向面には、切欠き溝２０の内側に沿うように片側端部近傍から所定長さの直線溝２２ａが形成されると共に、この直線溝２２ａの外扉開方向端部側が内側に約直角に曲がる所定半径の円弧溝２２ｂが連続して形成されている。
【００２６】
そして、ケース本体の内部後方には公知のロータリーダンパー１４を配置するための収容エリアが設けられており、この収容エリアとなるカバーケーシングＳ２ｂの底面にはロータリーダンパー１４の取付フランジ１４ａの外周が挿嵌される所定深さの収容凹部２５が形成されており、ベースケーシングＳ２ａの底面には収容凹部２５の対向位置にロータリーダンパー１４の前端を当接支持するための支持片１５が突設している。
【００２７】
このロータリーダンパー１４は、内部に封入されたオイルの粘性抵抗により発生する制動力を利用した回転系のダンパーであって、ピニオンギャＰが装着される出力軸１４ｂの一方の回転方向に対しては制動力が付与され他方の回転方向に対しては制動負荷のないフリー回転が得られる構造となっている。
【００２８】
そして、対向する両ケーシングＳ２ａ，Ｓ２ｂのガイドレール１８ａ’，１８ｂ’および１８ａ，１８ｂの外扉閉方向端部側には、後述する上下一対の弾性部材となる引張りコイルばねＳＰ一端のフランジ状に形成された係止部ＳＰ１をそれぞれ係止するための一対の縦長係止溝Ｇ１がそれぞれ対向位置に形成されている。
【００２９】
両ケーシングＳ２ａ，Ｓ２ｂの対向する底面に形成されたガイドレール１８ａ’，１８ｂ’および１８ａ，１８ｂは、矩形板状に形成された樹脂製のスライダー１２の上下面の一対のガイド溝にはまり込み、スライダー１２の扉の開閉方向への移動を案内支持している。
【００３０】
スライダー１２には、外扉閉方向端部側の前方に後述するクローザフック１６の係止アーム２８端部を挿入するための係合凹部を形成した外形角形の係合筒部２６が形成されると共に、後方側面には長手方向に沿ってラック歯Ｒが形成されている。
【００３１】
更に、スライダー１２上下面の外扉１ｂ，１ｃ開方向端部には、所定厚みのブロック部ＢＬ１，ＢＬ２が突設しており、これらブロック部ＢＬ１，ＢＬ２には、縦長係止溝Ｇ１に一端が係止された上下一対の引張りコイルばねＳＰ他端のフランジ状係止部ＳＰ２（図３〜図５参照）を係止するための一対の係止溝Ｇ２がそれぞれ上下面に形成されている。
【００３２】
そして、スライダー１２上下面の一端に突設したブロック部ＢＬ１，ＢＬ２の前端には長手方向に沿って前方側上下面に形成されるレール片３４ａ，３４ｂが延設しており、これらレール片３４ａ，３４ｂに対し、その一端側に隣接して形成された係止片Ｋと、他端側の係合筒部２６後端との間に一方のガイドレール１８ｂ，１８ｂ’が挿嵌している。また、ブロック部ＢＬ１，ＢＬ２の後端側面には他方側のガイドレール１８ａ，１８ａ’の内側と接触してスライダー１２を開閉方向に案内する摺動面１９が形成されている。
【００３３】
そしてまた、ガイドレール１８ａ，１８ｂおよび１８ａ’，１８ｂ’の幅方向中間位置となる中心線Ｙ（図６参照）に対し対象位置となるスライダー１２の均等位置Ｙ１，Ｙ２上下面に一対のコイルばねＳＰを収容する断面円弧状の浅溝１２ａ，１２ｂが扉の移動方向（開閉方向）と平行に形設されている。
【００３４】
そこで、スライダー１２の上下一対の係止溝Ｇ２と両ケーシングＳ２ａ，Ｓ２ｂの対向する上下一対の係止溝Ｇ１に上下一対の引張りコイルばねＳＰ両端の係止部ＳＰ２，ＳＰ１を係止することで、スライダー１２は、扉閉方向に付勢された状態で係合筒部２６の一方側面が両ケーシングＳ２ａ，Ｓ２ｂ内部の外扉閉方向側端部に設けられたゴム製の緩衝当接部３２に当接しており、この状態においてもスライダー１２のラック歯Ｒは、収容凹部２５に収容されたロータリーダンパー１４のピニオンギャＰと噛合している。
【００３５】
スライダー１２に形設した４つのコイルばねＳＰを収容する断面円弧状の浅溝１２ａ，１２ｂ全てにコイルばねＳＰを張設する必要はなく、使用する扉の重量を考慮して必要本数のばねを配設すればよい。また、４つ以上ばねを配設する場合はそれに応じて係止溝や浅溝を増やすようにケーシング及びスライダーを設計するが、少なくとも２つ以上のばねを使用する場合には、好ましくは偶数個のばねを上下若しくは左右に均等配置して、スライダーの上下方向及び左右方向の歪みがないようにするとよい。
【００３６】
一方、スライダー１２の係合筒部２６に形成される係合凹部は、断面十字型の凹溝２８ａ，２８ｂ（一対の凹溝のみ図３ｂに図示）がスライダー１２の移動方向と直交する方向に形成されており、これら凹溝２８ａ，２８ｂに開口端部から挿入されたクローザフック１６の係止アーム２８端部両面に突設した係合突起Ｔ１，Ｔ２が摺動可能に支持されると共に、この状態でクローザフック１６の前方側上下両面に左右に離間して突設した係合突起３０ａ，３０ｂ及び３０ａ’，３０ｂ’が、直線溝２２ａないし円弧溝２２ｂに摺動可能に案内支持されている。
【００３７】
そして、クローザフック１６先端にフック部として形成される切欠き孔部Ｆは、図３（ａ）及び図４に示すように、中間に円弧部１６ａが形成され、その両側に所定角度をもって形成される第１直線部１６ｂ及び第２直線部１６ｃと、第２直線部１６ｃから連なる第３直線部１６ｄとから構成されている。
【００３８】
従って、クローザフック１６が直線溝２２ａの外扉１ｂ，１ｃ閉止端側、または円弧溝２２ｂ端部となる外扉１ｂ，１ｃ開放側にあるときは、クローザフック１６は、図３の（ａ）に示すように後述する２つの異なる態様がとられている。
【００３９】
次に、ソフトクローザ機構の作用に付き説明する。
【００４０】
先ず、上記のように構成されたクローザフック１６は、図１に示す外扉１ｂ，１ｃが閉止位置にある場合は、図３（ａ）に示すように係止ピン１０が切欠き孔部Ｆに係合した状態で閉止端側（右端側）に保持されている。
【００４１】
そこで、外扉１ｂ，１ｃの何れか一方または両方を閉止状態から取っ手Ｈ１またはＨ２を持って開放させる。例えば、外扉１ｃを開放すると、外扉１ｃの移動によってガイドピン８がレール５の案内溝５ａを移動し、ガイドピン８と一体になって移動する係止ピン１０は、図３（ａ）に示すようにクローザフック１６の切欠き孔部Ｆに係合した状態でスライダー１２を上下一対の引張りコイルばねＳＰの付勢力に抗して左方（開方向）に移動する。
【００４２】
スライダー１２が左方へ移動する際には、スライダー１２のラック歯Ｒと噛合しているピニオンギャＰを介してロータリーダンパー１４は時計廻りにフリー回転する。
【００４３】
係止ピン１０が係止した状態でクローザフック１６がスライダー１２と共に更に左行すると、このクローザフック１６は、その係合突起３０ａ，３０ｂ及び３０ａ’，３０ｂ’が直線溝２２ａから円弧溝２２ｂに移行する際に、係合筒部２６の凹溝２８ａ，２８ｂ内に係合している係止アーム２８端部の表裏一体の係合突起Ｔ１，Ｔ２が開口側前方に移動しながら、この係合突起Ｔ１，Ｔ２を中心として時計廻りに揺動する。
【００４４】
更に、左行端まで移行したスライダー１２によってクローザフック１６の切欠き孔部Ｆは、図３（ａ）に仮想線で示すように第３直線部１６ｄがケース本体の前端縁と同一線上に位置する傾斜した姿勢となる。
【００４５】
これによって、外扉１ｃ内側の係止ピン１０は、クローザフック１６の切欠き孔部Ｆから容易に抜け出し、外扉１ｃは開放端まで移動可能な状態となる。この際、ピン軸１０ａに回動可能に挿嵌した緩衝チューブ１０ｂが第２直線部１６ｃと接触している間その摩擦力により回動する。
【００４６】
係止ピン１０が抜け出した後のクローザフック１６の係合突起３０ａ（３０ａ’）は円弧溝２２ｂの端部溝と係合し、引張りコイルばねＳＰの付勢力は図３（ａ）において２点鎖線で示したクローザフック１６を更に時計廻りに揺動しようとするので、スライダー１２はその位置にロックされてこの姿勢が保持される。
【００４７】
次に、開放された外扉１ｃを閉るに際し、外扉１ｃのガイドピン８と一体になって右方に移動する係止ピン１０が、外扉開放側に位置しているクローザフック１６の先端切欠き孔部Ｆに係合する。
【００４８】
詳しくは、図３（ａ）に示すように、係止ピン１０がクローザフック１６の第２直線部１６ｂに当接すると、クローザフック１６は、係合突起Ｔ１，Ｔ２が凹溝２８ａ，２８ｂに沿って開口側後方に移動しながら係合突起Ｔ１，Ｔ２を中心として係合突起３０ａ，３０ｂ及び３０ａ’，３０ｂ’が円弧溝２２ｂに案内されて反時計廻りに揺動する。
【００４９】
そこで、クローザフック１６が反時計廻りに揺動する間、ピン軸１０ａに回動可能に挿嵌した緩衝チューブ１０ｂが第１直線部１６ｂと接触しながら回動する。
【００５０】
切欠き孔部Ｆの円弧部１６ａ内に飛び込み係止した係止ピン１０の外扉閉止方向への移動作用により、クローザフック１６を介してスライダー１２が右方へ移動し、同時にスライダー１２のラック歯Ｒと噛合しているピニオンギャＰを介してロータリーダンパー１４が反時計廻りに回転すると、このロータリーダンパー１４に制動力が発生する。
【００５１】
そのため閉止方向へ移動する外扉１ｃの慣性力が大きい場合は、その速度が急激に減速された状態で閉止端まで移動することで衝撃が緩和され、外扉１ｃの慣性力が小さい場合は、引張りコイルばねＳＰの牽引力でスライダー１２を自動的に閉止端まで緩やかに移動することができ、最後に係合筒部２６の一方側面が緩衝当接部３２に当接することで衝撃力が緩和されて停止する。
【００５２】
従って、上記のように構成されたソフトクローザ機構によれば、引張りコイルばねＳＰをスライダー１２に直接張設できるので、引張りコイルばねＳＰの取付位置や数の自由度が広がり、そのためにスライダー１２の移動方向と同じ方向に弾性力を付与することも可能である。
【００５３】
また、スライダー１２のレール片３４ａ、３４ｂと摺動面１９がベース及びカバーケーシングＳ１ａ（Ｓ２ａ）、Ｓ１ｂ（Ｓ２ｂ）に形設したガイドレール１８ａ，１８ｂおよび１８ａ’，１８ｂ’と摺動接触して案内部を構成しているので、スライダー１２を安定して移動させることができる。
【００５４】
更に、スライダー１２の表裏面に形成した吊扉１の開閉方向に延びる断面円弧状の浅溝１２ａ，１２ｂ内に引張りコイルばねＳＰが収納されるようになっているので、クローザＳ１，Ｓ２をコンパクトに構成することができ、しかも浅溝１２ａ，１２ｂが吊扉１の開閉方向に延びているので、スライダー１２の移動方向と同じ方向に弾性力を付与することができる。
【００５５】
ガイドレール１８ａ，１８ｂおよび１８ａ’，１８ｂ’の幅方向中間位置となる中心線Ｙから対象位置（Ｙ１，Ｙ２）となるところに浅溝１２ａ，１２ｂが各２対形成されているので、４つの浅溝１２ａ，１２ｂに引張りコイルばねＳＰを自由に選択して収納させることができる、吊扉１の重量に基づいて引張りコイルばねＳＰの数を増減させることが可能である。また引張りコイルばねＳＰをスライダー１２の表裏面に配することで、スライダー１２の浮き上がり等も防止でき、またスライダー１２の表面或いは裏面に２本ずつ均等に配設することで、スライダー１２の左右方向のねじれが生起せずスライダー１２を円滑に移動することができる。
【００５６】
そしてまた、ベースケーシングＳ１ａ，Ｓ２ａは、カバーケーシングＳ１ｂ，Ｓ２ｂと着脱自在の連結により取り付けられており、スライダー１２、ダンパー１４、及びクローザフック１６を含むクローザ部品を収納するボックス体として構成することで、クローザ部品を保護すると同時に、ボックス体ごとキャビネット本体２に取付けることができる。また、２つのケーシングが着脱自在であるので、クローザ部品の交換や点検の際の分解も容易である。
【００５７】
尚、上記の実施形態では、各外扉が独立して移動可能な構成の吊扉１にソフトクローザ機構を適用した例として説明したが、この機構を図示しない複数枚から成るシンクロスライド扉に適用することも可能であり、このようにすれば、左右の外扉が戸棚本体２に対して緩やかな閉動作を完了するように左右にソフトクローザ機構を配設することで左右均等に衝撃なく閉鎖することができ、特に、引張りコイルばねＳＰを装架した場合は両外扉でキャビネット開口を完全に閉鎖することができる。
【００５８】
以上、本発明の実施形態を図面により説明してきたが、具体的な構成はこれら実施例に限られるものではなく、例えば、扉を吊扉として説明してきたが、通常の開閉扉に適用できることは言うまでもない。又、クロゼットの如き造り付けの収納部の開口に扉をはめ込んでソフトクローザ機構を取付けるようなものも本発明の範囲に含まれる。
【００５９】
【発明の効果】
本発明は以下の効果を奏する。
【００６０】
（ａ）請求項１項の発明によれば、弾性部材をスライダーに直接張設できるので、弾性部材の取付位置の自由度が広がり、そのためにスライダーの移動方向と同じ方向に弾性力を付与することもできる。
【００６１】
（ｂ）請求項２項の発明によれば、案内部により安定してスライダーを移動させることができる。
【００６２】
（ｃ）請求項３項の発明によれば、複数の案内部により更に安定してスライダーを移動させることができる。
【００６３】
（ｄ）請求項４項の発明によれば、クローザをコンパクトに構成でき、しかも溝が移動体の移動方向と平行に延びているので、スライダーを円滑に移動させることができる。
【００６４】
（ｅ）請求項５項の発明によれば、４つの溝にばね部材を自由に選択して収納させることができるので、移動体の重量に基づいてばね部材の数を増減させることができ、またばね部材をスライダーの表裏面に配することで、スライダーの浮き上がり等も防止でき、またスライダーの表面或いは裏面に２本配設することで、スライダーの左右方向のねじれが生起せずスライダーが円滑に移動することができる。
【００６５】
（ｆ）請求項６項の発明によれば、クローザ部品を保護すると同時に、クローザ部品の交換や点検の際の分解も容易である。
【００６６】
（ｇ）請求項７項の発明によれば、スライダーに対し移動終了方向への引き込み力を与える弾性部材により扉を円滑に作動させることができる。
【図面の簡単な説明】
【図１】本発明の一実施形態に係るソフトクローザ機構を備えたキャビネットの正面図である。
【図２】キャビネット内部の中間棚と吊扉端部に対応して配置されたクローザ機構を示す斜視図である。
【図３】（ａ）は（ｂ）のＢ−Ｂ断面を示しクローザの内部構造を示す平面図、（ｂ）は（ａ）のＡ−Ａ断面図である。
【図４】ソフトクローザ機構の全体斜視図である。
【図５】クローザの内部構造であって引張りコイルばねの取付け状態を示す説明図である。
【図６】図５に示すクローザの内部構造を拡大したＣ−Ｃ断面図である。
【図７】従来のソフトクローザ機構の斜視図である。
【符号の説明】
１                      吊扉
１ａ                    内扉
１ｂ，１ｃ              外扉
２                      戸棚本体（キャビネット本体）
２ａ                    棚板
４                      吊下げレール
５                      レール
５ａ                    案内溝
６                      ブラケット
６ａ                    取付け片
６ｂ，６ｃ              水平支持片
６ｄ                    垂直片
８                      ガイドピン
１０                    係止ピン
１０ａ                  ピン軸
１０ｂ                  緩衝チューブ
１２                    スライダー
１２ａ，１２ｂ          浅溝（溝）
１４                    ロータリーダンパー
１４ａ                  取付フランジ
１４ｂ                  出力軸
１５                    支持片
１６                    クローザフック
１６ａ                  円弧部
１６ｂ                  第１直線部
１６ｃ                  第２直線部
１６ｄ                  第３直線部
１８ａ，１８ｂ          ガイドレール
１８ａ’，１８ｂ’        ガイドレール
１９                    摺動面
２０                    切欠き溝
２２ａ                  直線溝
２２ｂ                  円弧溝
２５                    収容凹部
２６                    係合筒部
２８                    係止アーム
２８ａ，２８ｂ          凹溝
３０ａ，３０ｂ          係合突起
３０ａ’，３０ｂ’        係合突起
３２                    緩衝当接部
３４ａ，３４ｂ          レール片
ＢＬ１，ＢＬ２          ブロック部
Ｄ                      緩衝部材
Ｆ                      切欠き孔部
Ｇ１，Ｇ２              係止溝
Ｈ１，Ｈ２              取っ手
Ｋ                      係止片
Ｐ                      ピニオンギャ
Ｒ                      ラック歯
Ｓ１，Ｓ２              クローザ
Ｓ１ａ，Ｓ２ａ          ベースケーシング
Ｓ１ｂ，Ｓ２ｂ          カバーケーシング
ＳＰ                    引張りコイルばね（弾性部材）
ＳＰ１，ＳＰ２          係止部
Ｔ１，Ｔ２              係合突起
Ｙ                      中心線（中間位置）
Ｙ１，Ｙ２              均等位置
【図１】
2004332308.tif 000003
【図２】
2004332308.tif 000004
【図３】
2004332308.tif 000005
【図４】
2004332308.tif 000006
【図５】
2004332308.tif 000007
【図６】
2004332308.tif 000008
【図７】
2004332308.tif 000009